(57)【要約】      （修正有）【課題】電動弁全体の高さを低くすることができるアクチュエータを具備する電動弁を提供することである。【解決手段】弁室２３３を有する弁本体２３に溶接されるキャン２２とキャン２２の内側に配設されるロータ２１を構成する円筒状永久磁石と弁室２３３内の弁座２３４に接離するニードル弁３０とからなり、ニードル弁３０はロータ２１の中心部に設けられた螺子管２５と摺動可能に設けられたアクチュエータ２６を具備すると共に、アクチュエータ２６はキャン２２の外周に配設されたステータのコイルへの通電により上下動する電動弁において、アクチュエータ２６は、円筒状永久磁石の内壁に接続される横部材２７を具備し、横部材２７と円筒状永久磁石との間には横部材の上部側において空間１０が形成されていることを特徴とする電動弁を構成するものである。【選択図】図２
2006097892.tif 000002
【特許請求の範囲】
【請求項１】
弁室を有する弁本体に溶接されるキャンと該キャンの内側に配設されるロータを構成する円筒状永久磁石と前記弁室内の弁座に接離するニードル弁とからなり、前記ニードル弁は前記ロータの中心部に設けられた螺子管と摺動可能に設けられたアクチュエータを具備すると共に、前記アクチュエータは前記キャンの外周に配設されたステータのコイルへの通電により上下動する電動弁において、前記アクチュエータは、前記円筒状永久磁石の内壁に接続される横部材を具備し、該横部材と前記円筒状永久磁石との間には前記横部材の上部側において空間が形成されていることを特徴とする電動弁。
【請求項２】
前記横部材は前記アクチュエータに射出成形によって前記円筒状永久磁石の内壁に接続されていることを特徴とする請求項１に記載の電動弁。
【請求項３】
前記横部材には係止杆が立設され、該係止杆にスライダが係合されており、該スライダの先端が心棒に巻回された案内リングに回動且つ上下動自在に係合していることを特徴とする請求項１又は請求項２に記載の電動弁。
【発明の詳細な説明】
【技術分野】
【０００１】
本発明は電動弁に関し、特に、ニードル弁を具備するアクチュエータと円筒状永久磁石の接続に関する。
【背景技術】
【０００２】
従来の電動弁は、弁本体の弁座に接離するニードル弁を弁本体に設けた雄螺子管内において摺動自在に設け、永久磁石を有するロータをその中心部に設けた雌螺子管を雄螺子管に螺合することにより回動且つ軸方向に移動自在に設け、ロータの軸方向の中間部に対してニードル弁の端部を連結し、ロータの外周にコイルを内装したステータを同軸的に配設した構成となっている。
【０００３】
かかる構成において、作動時には、ステータのコイルに通電するとロータが回転し、ロータの回転に応じてスライダが螺旋案内リングに沿って上下動し、その上下端に衝合した位置でロータの回動及びニードル弁の移動は停止する（例えば特許文献１記載の図８）。
【特許文献１】特開平６−４２６６８号公報の図８
【０００４】
また、従来の電動弁において、円筒状永久磁石とニードル弁とは、図５に示すように接続されている。即ち、円筒状永久磁石１１とニードル弁１２とは、インジェクションモールディング（射出成形）によって、円筒状永久磁石１１とニードル弁１２の頂部が一体に接続されている。かかる電動弁は上部にスライダや案内リング等が設けられているので、上下に全体の高さをとらざるをえなかった。
【発明の開示】
【発明が解決しようとする課題】
【０００５】
本発明は、上記従来技術の欠点を克服して電動弁全体の高さを低くすることができるアクチゥエータを具備する電動弁を提供するものである。
【課題を解決するための手段】
【０００６】
本発明は、上記課題を解決するために、弁室を有する弁本体に溶接されるキャンと該キャンの内側に配設されるロータを構成する円筒状永久磁石と前記弁室内の弁座に接離するニードル弁とからなり、前記ニードル弁は前記ロータの中心部に設けられた螺子管と摺動可能に設けられたアクチュエータを具備すると共に、前記アクチュエータは前記キャンの外周に配設されたステータのコイルへの通電により上下動する電動弁において、前記アクチュエータは、前記円筒状永久磁石の内壁に接続される横部材を具備し、該横部材と前記円筒状永久磁石との間には前記横部材の上部側において空間が形成されていることである。
【０００７】
本発明による電動弁は、好ましくは、前記横部材は前記アクチュエータに射出成形によって前記円筒状永久磁石の内壁に接続されているものである。
【発明の効果】
【０００８】
本発明による電動弁は、ニードル弁を具備するアクチュエータが横部材を具備することにより、この横部材が円筒状永久磁石の内壁に接続されて設けられているから、円筒状永久磁石と上記横部材の上部とで空間を形成することができる。この結果、アクチュエータの移動及び停止に用いられる心棒及び係止杆が容易に空間内に突き出すことが可能となる。
【０００９】
しかも、アクチュエータは円筒状永久磁石の内部に設けられているから、両者はＨ形状に射出成形（インジェクションモールディング）により連結されることとなり、円筒状永久磁石の径方向の耐衝撃性を向上させ、且つアクチュエータの高さを低くすることが可能になる。
【発明を実施するための最良の形態】
【００１０】
本発明による電動弁の一実施形態を図１、図２及び図３を参照して説明する。
図１は本発明の電動弁の構成を示す一部省略断面正面図、図２は図１に示す構成の全断面図、図３は図１及び図２に示す構成の要部を示す断面図である。なお、図２においてステータ及びこのコイルは省略している。
【００１１】
図２に示すように、弁本体２３は流体継手入口２３１と流体継手出口２３２を備え、流体入口２３１と出口２３２とに通じる弁室２３３と入口２３１との間に弁座２３４が形成されている。弁本体２３の上面には管体２４が立設されている。管体２４と弁本体２３の上面とに鍔部２２２が当接されたキャン２２が立設されている。キャン２２にはその内側に配設された円筒状永久磁石２１からなるロータ２０が設けられている。
【００１２】
管体２４の内側には雌螺旋管２５が圧入して取り付けられ、雌螺旋管２５の内側に雌螺旋部２５１が刻設されている。雌螺旋管２５の内側に略円筒状に形成されているアクチエータ２６が設けられている。アクチエータ２６には雌螺旋部２５１と螺合する雄螺旋部２６１を有すると共に内部に筒穴２６２が設けられている。筒穴２６２の上部は閉鎖された上面２６３を形成し、内部にニードル弁３０が挿入されている。上面２６３の内側にボール状球体２９が当接されており、ボール状球体２９とニードル弁３０との間にコイルバネ２６４が介設されている。なお、コイルバネ２６４の下端とニードル弁３０の上端とは係合されている。
【００１３】
アクチエータ２６の上面２６３には、一体に横部材２７が例えば射出成形（インジェクションモールディング）により連結されており、横部材２７は円筒状永久磁石２１の内面に接続されている。また、横部材２７には係止杆２８が立設されている。
【００１４】
キャン２２の上部開口部２２３には円板状の上蓋２６が圧入されており、上蓋２６の下面には心棒２７が取り付けられている。心棒２７には上端２７１ａ及び下端２７１ｂを有する案内リング２７１が巻回されている。案内リング２７１に対してスライダ２７２の先端が回動且つ上下動自在に係合しており、スライダ２７２の後端は係止杆２８に係合されている。
【００１５】
かかる電動弁において、キャン２２の外周部に固定したモータのコイル（図１２９）内の歯極に交替に変化する磁極が生成されるようにコイルに断続的なパルス電流を流すと、モータのロータ２０が回転し、ロータ２０と一体であるアクチュエータ２６が回転し、アクチュエータ２６の雄螺旋部２６１と弁本体２３の筒体２４と一体に設けた雌螺旋管２５の雌螺旋部２５１によりロータ２０の回転をアクチュエータ２６のネジ伝動とボール状球体２９とコイルバネ２６４を通してニードル弁３０の上下移動に転換させてニードル弁３０と弁座２３４の流通面積を変えることにより、流体継手入口２３１から流体継手出口２３２への流量を正確に制御する。
【００１６】
また、ロータ２０の回転に応じてスライダ２７２が係止杆２８により回転されて案内リング２７１に沿って上下動し、案内リング２７１の上下端２７１ａ，２７１ｂに衝突した位置でロータ２０とアクチュエータ２６及びニードル弁３０の移動は停止する。
【００１７】
かかる構成によれば、アクチュエータ２６に一体に形成された横部材１７が円筒状永久磁石２１の内壁に接続されているので、横部材２７と円筒状永久磁石２１との間に空間１０を設けることができるので、アクチュエータ２６の移動及び停止のために設けられた心棒２７及び係止杆２８等を容易に空間１０に突き出すことができる。この結果、アクチュエータ２６の高さを低くすることが可能になる。
【００１８】
図４に示す電動弁は、本発明の他の実施形態の要部を示す断面図であり、図１とはアクチュエータの構成が異なるが、図１と同一部分は同一の符号を付している。
図４において、１１はアクチュエータであり、横部材１２が射出成形（インジェクションモールディング）により一体に構成されており、円筒状永久磁石２１の内壁に接続されている。アクチュエータ１１は円筒状に形成されており、その内壁に内ネジ１１１が形成されており、図示しない弁本体に立設される雄螺子管と螺合している。また、アクチュエータ１１の内部にニードル弁１３が軸部１３１に沿って設けられたコイルバネ１４によって支持されており、コイルバネ１４は一端が横部材１２に当接し、他端は弁部１３２に当接している。なお、１３３はニードル弁１３の軸受であり、横部材１２に形成されている。
【００１９】
アクチュエータ１１の横部材１２と円筒状永久磁石との間において、横部材１２の上側に空間１０が形成され、空間１０にアクチュエータ１１の移動及び停止用の心棒及び係止杆を容易に突き出すことができる。
【図面の簡単な説明】
【００２０】
【図１】本発明における電動弁の一実施形態を示す一部省略断面図である。
【図２】本発明における電動弁の一実施形態を示す断面図である。
【図３】本発明における電動弁の一実施形態を示す電動弁の要部の正面図である。
【図４】本発明における電動弁の他の実施形態を示す電動弁の要部の一部断面図である。
【図５】従来のアクチゥエータの一部断面正面図である。
【符号の説明】
【００２１】
１０   
空間
２１   
円筒状永久磁石
２６   
アクチュエータ
２７   
横部材
３０   
ニードル弁
【図１】
2006097892.tif 000003
【図２】
2006097892.tif 000004
【図３】
2006097892.tif 000005
【図４】
2006097892.tif 000006
【図５】
2006097892.tif 000007